【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
文書配色の評価・変更方法であって、
文書データを読み込む第１の工程と、
前記文書データを構成する要素から当該文書における代表的な色を数色抽出する第２の工程と、
前記文書データに施されている配色を、予め蓄積されている配色データと第２の工程で得られた結果を用いて評価し、その評価結果を表示する第３の工程とを含むことを特徴とする文書配色の評価・変更方法。
【請求項２】
前記文書データに施された配色を、予め蓄積されている配色データと第２の工程で得られた結果と第３の工程で得られた評価結果を用いて変更する第４の工程とを含むことを特徴とする請求項１記載の文書配色の評価・変更方法。
【請求項３】
第１の工程で読み込まれた文書データと第４の工程で配色が変更された文書データとから最適な配色が施された文書データを選択する第５の工程とを含むことを特徴とする請求項２記載の文書配色の評価・変更方法。
【請求項４】
前記第３の工程は、前記第１の工程で読み込まれた文書データを構成する要素ごとに所定の項目につき評価を行い、前記文書データの配色を評価するデータを生成する工程を含むことを特徴とする請求項１乃至３の何れかに記載の文書配色の評価・変更方法。
【請求項５】
前記第４の工程は、前記第３の工程において求めた前記各項目ごとの評価結果を調整する工程を含むことを特徴とする請求項２乃至４に記載の文書配色の評価・変更方法。
【請求項６】
前記第４の工程は、過去の配色処理データに基づく配色の変更を行う工程を含むことを特徴とする請求項２乃至５の何れかに記載の文書配色の評価・変更方法。
【請求項７】
前記第４の工程は、複数の配色変更後の文書データを生成する工程を含むことを特徴とする請求項２乃至６の何れかに記載の文書配色の評価・変更方法。
【請求項８】
前記第５の工程は、前記過去の配色処理データを前記最適な配色が施された文書データの配色データに選択的に更新する工程を含むことを特徴とする請求項３乃至７の何れかに記載の文書配色の評価・変更方法。
【請求項９】
前記第５の工程において最適な配色が施された文書データを選択できなかった場合には、再度前記第４の工程を行うことを特徴とする請求項３乃至８の何れかに記載の文書配色の評価・変更方法。
【請求項１０】
前記第２の工程は、前記第１の工程で読み込まれた文書データの配色評価・変更を行う領域を設定する工程と、前記文書データから作成される文書の種類・用いる地域を選択する工程と、を含むことを特徴とする請求項１乃至９の何れかに含むことを特徴とする文書配色の評価・変更方法。
【請求項１１】
前記第２、第３の工程で用いられる予め蓄積されている配色データは複数種類のデータの中から選択されることを特徴とする請求項１乃至１０の何れかに記載の文書配色の評価・変更方法。
【請求項１２】
文書配色の評価・変更装置であって、
文書データを読み込む文書データ読込み手段と、
前記文書データおよびその他の情報を表示する表示手段と、
前記文書データを構成する要素から当該文書における代表的な色を数色抽出する色抽出手段と、
配色データを蓄積する記憶手段と、
前記文書データに施されている配色を、前記記憶手段に蓄積されている配色データと前記測色手段で得られた結果を用いて評価する配色評価手段とを含み、評価した結果を前記表示手段により表示することを特徴とする文書配色の評価・変更装置。
【請求項１３】
前記文書データに施された配色を、前記記憶手段に蓄積されている配色データと前記測色手段で得られた結果と前記配色評価手段で得られた評価結果を用いて変更する配色変更手段を含み構成されていることを特徴とする請求項１２記載の文書配色の評価・変更装置。
【請求項１４】
前記文書データ読込み手段で読み込まれた文書データと前記配色変更手段で変更された文書データとから最適な配色が施された文書データを選択する最適文書選択手段と、を含み構成されていることを特徴とする請求項１３記載の文書配色の評価・変更装置。
【請求項１５】
配色の変更のために参照する過去に行った配色処理のデータを蓄積する記憶手段と、この記憶手段から該当するデータを選択して取り出すデータ選択・取得手段と、前記最適文書選択手段で選択された文書データの配色処理データを前記記憶手段に蓄積されている過去の配色処理データと選択的に更新させるデータ更新手段と、を備えたことを特徴とする請求項１４に記載の文書配色の評価・変更装置。
【請求項１６】
前記文書データ読込み手段で読み込まれた文書データの配色評価・変更を行う領域を設定する領域設定手段と、前記文書データから作成される文書の種類・用いる地域を選択する文書種類・エリア選択手段と、を備えたことを特徴とする請求項１５に記載の文書配色の評価・変更装置。
【請求項１７】
前記配色データを蓄積する記憶手段は複数の装置からなり、これら複数の装置からアクセスする装置を選択する選択手段を備えたことを特徴とする請求項１６に記載の文書配色の評価・変更装置。
【手続補正２】
【補正対象書類名】明細書
【補正対象項目名】０００５
【補正方法】変更
【補正の内容】
【０００５】
本発明は、上記のような従来技術の有する問題点に鑑みなされたものであり、その目的は、様々なパターンのデータにより文書配色の評価を行い得る文書配色の評価・変更方法および装置を提供することにある。
【手続補正３】
【補正対象書類名】明細書
【補正対象項目名】０００６
【補正方法】変更
【補正の内容】
【０００６】
【課題を解決するための手段】
上記目的を達成するため、本発明の文書配色の評価・変更方法は、文書データを読み込む第１の工程と、前記文書データを構成する要素から当該文書における代表的な色を数色抽出する第２の工程と、前記文書データに施されている配色を、予め蓄積されている配色データと第２の工程で得られた結果を用いて評価し、その評価結果を表示する第３の工程とを含むことを特徴とする。
前記文書データに施された配色を、予め蓄積されている配色データと第２の工程で得られた結果と第３の工程で得られた評価結果を用いて変更する第４の工程とを含むことができる。
第１の工程で読み込まれた文書データと第４の工程で配色が変更された文書データとから最適な配色が施された文書データを選択する第５の工程とを含むことができる。
【手続補正４】
【補正対象書類名】明細書
【補正対象項目名】００１０
【補正方法】変更
【補正の内容】
【００１０】
本発明の文書配色の評価・変更装置は、文書データを読み込む文書データ読込み手段と、前記文書データおよびその他の情報を表示する表示手段と、前記文書データを構成する要素から当該文書における代表的な色を数色抽出する色抽出手段と、配色データを蓄積する記憶手段と、前記文書データに施されている配色を、前記記憶手段に蓄積されている配色データと前記測色手段で得られた結果を用いて評価する配色評価手段とを含み、評価した結果を前記表示手段により表示することを特徴とする。
前記文書データに施された配色を、前記記憶手段に蓄積されている配色データと前記測色手段で得られた結果と前記配色評価手段で得られた評価結果を用いて変更する配色変更手段を含み構成することができる。
前記文書データ読込み手段で読み込まれた文書データと前記配色変更手段で変更された文書データとから最適な配色が施された文書データを選択する最適文書選択手段と、を含み構成することができる。
【手続補正５】
【補正対象書類名】明細書
【補正対象項目名】００８２
【補正方法】変更
【補正の内容】
【００８２】
【発明の効果】
上述のように、本発明によれば、様々なパターンのデータを用いて文書配色を行い、さらにこの評価結果を得ることから、該評価結果に基づき文書配色の変更を行うことで、よりユーザのイメージに合致した文書の配色が可能になる。